(57)【要約】      （修正有）【課題】体調不良を引き起こす外部要因を除去する方法の提供。【解決手段】体のほとんどの症状に対してラジオ、等のスピーカー等から発する振動磁場、電磁波の相互作用に依る効果が利用でき又、人体からはパルス磁場また電磁波が発生しており、このいわゆるオーラをラジオで増幅すべく８０メガヘルツ近辺に同調したラジオ１７を頭部に当る様に、体１の肩の部分に装着し、かつそのアンテナ２１を体の部分に強く接触させるが、同時に市売の幅の広いゴムベルト２２を体１に装着をしてからにすると外部妨害電磁波に感応せず自らの抵抗力の元、オーラ、を増幅する為外部妨害電磁波の作用をかなりな程度うちけし、改善が見られた。【選択図】図９
2008114006.tif 000002
【特許請求の範囲】
【請求項１】
人体の健康、体調保持に悪影響のある外部要因として電磁波の影響があるが、この電磁波の除去には電磁波が体と共鳴するのを防ぐ為、十から数十メガオ−ムの抵抗でかつ、適当なコンデンサ−容量を持つ、プラスチック消しゴムを一から数センチメ−トルの直方体又は立方体に切った物、又は小型のトランジスタ−、をガムテ−プで体の患部と思われる所に直接圧着固定するか、軽く絶縁した所を固定金具で圧着固定する事に依って、体の抵抗、インピ−ダンスを大きくし、悪影響を及ぼす電磁波と共鳴しない様にする事に依って外部要因を除去し、しつこい眠気、難尿、胃の不快感、胸焼け、体のびりびりするしびれ感、等を改善する事を特徴とする、体調不良の外部要因除去方法。
【請求項２】
請求項１の外部要因として、各種の磁場の進入があるが、小型モ−タ−の軸心等に永久磁石を付け、回転させる事に依って作る回転磁場に依って請求項１で実現しなかった症状、耳鳴り、歯の痛み、局所的点状痛み等の一時的改善又は改善する事を特徴とする請求項１の体調不良の外部要因除去方法。
【請求項３】
体調不良又は疾病の原因として外部電磁波による人体内における静電気生成が有り、この静電気除去は体表面に現れる正電荷をコンデンサ−で除去出来るが、比較的早く静電気が溜まってしまい対応出来なくなるのでコンデンサ−内の電荷周辺物質の磁化に依って、コンデンサ−の表面に永久磁石を設備する事で、コンデンサ−内部に向かって磁場が増加し、距離に依る磁場勾配の増加によって電場の時間的変化がマイナスになりこの結果電荷が減少し、静電気は逸散するので、人体表面に永久磁石を付けたコンデンサ−を接触させ長時間静電気を除去し続け、かつ請求項２の装置に依って時々更に除去する事を特徴とする請求項１の体調不良の外部要因除去方法。
【請求項４】
体調不良を起こす要因に外部電磁波と外部磁場の相乗効果に因るものが有りこの事に因って、体の筋、筋肉の硬直、体の痒み、首筋のしつこい凝りと痛み、体の火照り、精神の混乱、体の平衡感覚の不調、その他のほとんどの心身の体調不良の症状が出るが、小型モ−タ−、特に電気かみそりの回転刃を取り除きその軸心に小さい永久磁石と、小さいボタン電池のマイナス、又はプラス、又は小さい永久磁石と小さいボタン電池のマイナス及びプラスの両方の面を外に向けて装着し回転させる事に依って、回転磁場に依る体内磁場の減少及び、低周波電磁波の発生に依る外部電磁波への干渉を利用した防衛の相乗効果に依ってかなりな程度、遠隔的に消す事が出来、
又、携帯型の直流、交流インバ−タ−に、電磁石にリ−ド線を付け適当な抵抗を付けた物を、その交流出力の端子に各々繋ぎ、及びリ−ド線を長くしてその一部分を裸線にする事に依ってアンテナとした物に適当な抵抗を付けた物、又はアンテナに抵抗を付けた物、を直流、交流インバ−タ−の出力の端子に各々繋いで並列的にか、又は電磁石及び裸線又は適当なアンテナ及び適当な大きさの抵抗を直列に繋いで携帯型の直流、交流インバ−タ−の出力の端子に繋いで直列的に配線し、低周波回転磁場及び低周波電磁波を発生させる事に依ってその相乗効果で、上記体調不良の改善を遠隔的に行なう事を特徴とする、請求項１の体調不良の外部要因除去方法。
【請求項５】
体調不良の内に、強い筋肉及び筋の硬直、突っ張りが有るが、冷湿布上に永久磁石を重ねる事によって改善する事を特徴とする請求項１の体調不良の外部要因除去方法。
【請求項６】
体調不良の内の、平衡感覚の不良、目の痛み、等を永久磁石をＳ極を内側にして首の付け根に装着し、又目の近辺に接近させる事によって体表面の静電気を除去し、症状をとる事を特徴とする請求項１の体調不良の外部要因除去方法。
【請求項７】
体調不良の内のほとんどの症状に対して、ラジオの音声周波数のスピ−カ−振動磁場及び付随する電磁波の発生による相乗作用が効果が有るが、人体上ではパルス状磁場、及び電磁波が発生していて外部に対していわゆるオ−ラを発生しているが、このオ−ラをラジオで増幅するべく人体頭部にも増幅作用が及ぶ様、肩の部分に８０メガヘルツ近辺に同調したラジオを装着しアンテナを体に強く接触させるが、同時に体が外部電磁波等に同調しないように体に市売のゴムベルトを大きな表面積で接触させた後、ラジオを装着し、特に携帯ラジオで音声を最大限に近くまで大きくし、イアホ−ンを付ける事に依って周囲にうるさくなく効果を期待出来、又、ラジオのスピ−カ−の振動紙を上手に剥ぎ取り、振動はそのままで音だけをほとんど出さないタイプの物に改造し出力を大きく、音をちいさくした事を特徴とする請求項１の体調不良の外部要因除去方法。
【請求項８】
体調不良の内のほとんどの症状に対して送風機又は扇風機、エアコン、温風暖房機等から出る風に依って体の表面付近の酸素が作る磁場の状態に影響を与える事、又請求項４のボタン電池及び円盤状磁石を扇風機の羽根に対称的に装備することに依って、その相乗効果で、体調向上効果を持つ事を特徴とする請求項１の体調不良の外部要因の除去方法。
【請求項９】
外部妨害電磁波、外部妨害磁場等に対する人体の感受性を小さくする方法として、コ−ヒ−等を摂取して、脳内ド−パミンを増やし、これに対処する為に、微量のレモナミン、トリフェジノン、ユ−パンを摂取する事に依って、体調を保持する事を特徴とする請求項１の体調不良の外部要因除去方法。
【請求項１０】
しつこい眠気に対して、ぼんのくぼに永久磁石を張り続ける事に依って眠気を取る事を特徴とする請求項１の体調不良の外部要因除去方法。
【発明の詳細な説明】
【技術分野】
【０００１】本発明は体調不良の外部要因の電磁波、磁場、静電気の除去又は緩和の技術に関するものである。
【背景技術】
【０００２】電磁波除去は共鳴の除去、電磁波発生での対象電磁波への干渉による防衛、磁場の除去は、回転磁場による消磁、静電気は永久磁石を付けたコンデンサ−の人体装着に依る除去による。
体調不良はこのような外部因子による事が多いと思われる事。
【発明の開示】
【発明が解決しようとする課題】
【０００３】
【０００４】外部要因に依る体調不良を除去する事
【課題を解決する為の手段】
【０００５】電磁波、磁場、静電気の除去、冷却を行なう事に依ってこの問題を解決した。
【発明の効果】
【０００６】極度の体調不良の状態はかなりな程度緩和される。
【発明を実施する為の最良の形態】
【０００７】一回のセットで出来るだけ長時間持続する外部要因除去装備である事。
【実施例１】
【０００８】プラスチック消しゴムを長方形に切り、縦一センチメ−トル、横二センチメ−トル高さ一センチメ−トルにし、これをガムテ−プに固定用金具を付けた物で人体のえりの付け根に圧着固定する事に依って、しつこい眠気、えりのしびれ感、が改善され、又腹部に圧着固定する事に依って胃の不快感、胸焼け等が改善され、又難尿等も改善された。
【実施例２】
【０００９】携帯用電気かみそりの回転刃車を取り外し、軸心に適当な方法で小さな永久磁石を固定し、回転させる事に依って、歯の痛み、耳鳴り、局所的点痛が改善された。
【実施例３】
【００１０】人体表面に永久磁石を付けたコンデンサ−容量の大きいコンデンサ−を装着する事に依って体内に溜まる静電気をとって丈夫な体になった。
【実施例４】
【００１１】携帯用電気かみそりの回転刃車を取り外し、軸心に適当な方法で小さな永久磁石及び小さなボタン電池のマイナス、又はプラスの面、又はその両方を、外に向けて装着し、回転させる事に依って、体の筋、筋肉の硬直、体の痒み、首筋のしつこい凝りと痛み、体の火照り、精神の混乱、体の平衡感覚の不調、動悸その他の体調不良のかなりの改善がみられた。主に胸、みぞおちのあたりでの作動が良い。
場合によって症状の出ている付近での作動が良い。
【実施例５】
【００１２】携帯用直流、交流インバ−タ−の出力の両端子に電磁石及び適当な大きさの抵抗を結合させた物、及び裸線又はアンテナに適当な大きさの抵抗を結合させた物を各々その両端を並列的に繋いで接続し、又は電磁石に裸線又はアンテナと適当な大きさの抵抗を直列的に結合させリ−ド線を各々インバ−タ−の出力端子に繋げ、作動させる事によって、体の筋、筋肉の硬直、体の痒み、首筋のしつこい凝りと痛み、体の火照り、精神の混乱、体の平衡感覚の不調、動悸その他の体調不良のかなりの改善がみられた。
【実施例６】
【００１３】請求項５で体の筋、又は筋肉の突っ張り、硬直の症状をとるのに冷湿布の上に永久磁石を重ねて装備する事によってほとんど実現出来た。
【実施例７】
【００１４】請求項６で体の平衡感覚の不良、目の痛み等は永久磁石をＳ極を内側にして首の付け根部分への装着し、又目の部分に磁石のＳ極を接近させる事によって体表面の静電気を除去する事に依り、平衡感覚の改善、目の痛みの改善がなされた。
【実施例８】
【００１５】請求項７で体のほとんどの症状に対してラジオ、等のスピ−カ−等から発する振動磁場、電磁波の相互作用に依る効果が利用でき又、人体からはパルス磁場また電磁波が発生しており、このいわゆるオ−ラをラジオで増幅すべく８０メガヘルツ近辺に同調したラジオを頭部に当る様に、体の肩の部分に装着し、かつそのアンテナを体の部分に強く接触させるが、同時に市売の幅の広いゴムベルトを体に装着をしてからにすると外部妨害電磁波に感応せず自らの抵抗力の元、オ−ラ、を増幅する為外部妨害電磁波の作用をかなりな程度うちけし、改善が見られた。
【実施例９】
【００１６】請求項８で体のほとんどの症状に対して、送風機、扇風機、エアコン、温風暖房機等から出る風に依って、人体の体表面付近の酸素が作る磁場に影響を与え、又請求項４のボタン電池及び円盤状磁石を扇風機の羽根に装備、作動させる事に依って妨害電波、妨害磁場の体に対する悪影響をかなりな程度軽減させた。
【実施例１０】
【００１７】請求項９でコ−ヒ−等を摂取した後、微量のレモナミン、トリフェジノン、ユ−パンを摂取する事に依って体調の改善が出来た。
【実施例１１】
【００１８】請求項１０でしつこい眠気に対して、首筋近くの、ぼんのくぼ、に永久磁石を張り続ける事に依って眠気がほとんど取れた。
【産業上の利用可能性】
【００１９】現代ストレスのほとんど大部分はこうした外部要因に因る体調不良と思われ、改善されるこれらの方法は比較的簡単な装備によって実現されるので普及効果は大きいと思われる。
【図面の簡単な説明】
【００２０】
【図１】図１は請求項１の体調不良の外部要因除去方法の装備の断面図である。
【図２】図２は請求項２の体調不良の外部要因除去方法の装備の立面斜視図である。
【図３】図３は請求項３の体調不良の外部要因除去方法の装備の断面図である。
【図４】図４は請求項４の体調不良の外部要因除去方法の装備の立面斜視図である。
【図５】図５は請求項４の体調不良の外部要因除去方法の装備の内、直流、交流インバ−タ−を使った方式で並列接続を使用した時の平面図である。
【図６】図６は請求項４の体調不良の外部要因除去方法の装備の内、直流、交流インバ−タ−を使った方式で直列接続を使用した時の平面図である。
【図７】図７は請求項５の体調不良の外部要因除去方法の装備の断面図である。
【図８】図８は請求項６の体調不良の外部要因除去方法の装備の立面斜視図である。
【図９】図９は請求項７の体調不良の外部要因除去方法の装備の立面斜視図である。
【図１０】図１０は請求項８の体調不良の外部要因除去方法の装備の立面斜視図である。
【符号の説明】
【００２１】▲１▼人体
▲２▼プラスチック消しゴム
▲３▼固定用金具
▲４▼ガムテ−プ圧着固定
▲５▼小型モ−タ−
▲６▼軸心等
▲７▼永久磁石
▲８▼回転磁界
▲９▼コンデンサ−
▲１０▼小さいボタン電池
▲１１▼電磁波
▲１２▼携帯型直流、交流インバ−タ−
▲１３▼抵抗
▲１４▼電磁石
▲１５▼裸線又はアンテナ
▲１６▼冷湿布
▲１７▼携帯ラジオ
▲１８▼扇風機
▲１９▼振動磁界
▲２０▼風
▲２１▼アンテナ
▲２２▼ゴムベルト
【図１】
2008114006.tif 000003
【図２】
2008114006.tif 000004
【図３】
2008114006.tif 000005
【図４】
2008114006.tif 000006
【図５】
2008114006.tif 000007
【図６】
2008114006.tif 000008
【図７】
2008114006.tif 000009
【図８】
2008114006.tif 000010
【図９】
2008114006.tif 000011
【図１０】
2008114006.tif 000012